(57)【要約】【課題】配電線より引き込んだ電線を引き留める低圧用ラックの固定部に加わる捻れを緩和し、建家の側壁に割れや亀裂を生じることを防止できる配電線引留装置を提供することである。【解決手段】断面がＵ字状に形成された低圧用ラック１４のＵ字屈曲部１６の背面と需要家の建家の側壁１７との間に当て板１８を介挿し、当て板１８を介挿した状態で低圧用ラック１４を建家の側壁１７に取付ボルト１９で取り付け、低圧用ラック１４のＵ字突出部２０ａ、２０ｂ間に掛止ボルト１５を設け、この掛止ボルト１５に配電線から引き出された電線１１の配線方向を案内する案内部材１３を掛止する。【選択図】図１
2012039733.tif 000002
【特許請求の範囲】
【請求項１】
断面がＵ字状に形成された低圧用ラックと、
前記低圧用ラックのＵ字屈曲部の背面と需要家の建家の側壁との間に介挿される当て板と、
前記当て板を介挿した状態で前記低圧用ラックを建家の側壁に取り付ける取付ボルトと、
前記低圧用ラックのＵ字突出部間に設けられ配電線から引き出された電線の配線方向の案内部材を掛止する掛止ボルトと、
を備えたことを特徴とする配電線引留装置。
【請求項２】
前記案内部材は、前記配電線から引き出された電線の配線方向を変えて需要家の屋内に引き込むための引き込み用留具を引張する引張部材であることを特徴とする請求項１に記載の配電線引留装置。
【請求項３】
前記案内部材は、前記配電線から引き出された電線を沿わせるワイヤであることを特徴とする請求項１に記載の配電線引留装置。
【発明の詳細な説明】
【技術分野】
【０００１】
本発明は、配電線を需要家の建物に引き込む引き留めするための配電線引留装置に関する。
【背景技術】
【０００２】
例えば、架空配電線を需要家の建物に引き込む際には、建物側に低圧用ラックを設けて低圧用ラックにより、配電線より引き込んだ電線を引き留めるようにしている。そして、低圧用ラックは需要家の建家の側壁に取付ボルトにより取り付け固定するようにしている。
【０００３】
電線を住宅やビル等の建物に引き込むために、建物の所定の箇所に引き込み用コ状金具を固定ボルトで固定し、コ状金具に設けられた係止ボルトに引込電線を係止するようにしたものがある（例えば、特許文献１参照）。
【先行技術文献】
【特許文献】
【０００４】
【特許文献１】特開平８−１４９６６０号公報
【発明の概要】
【発明が解決しようとする課題】
【０００５】
しかし、特許文献１のものでは、低圧引込電線の支持用として屋側などに引き込み用コ状金具を固定ボルトで建家の側壁に直接固定しているので、低圧引込電線の適用径間拡大等により固定部に捻れが加わることがある。固定部に捻れが加わると建家の側壁に割れや亀裂を生じる場合がある。
【０００６】
本発明の目的は、配電線より引き込んだ電線を引き留める低圧用ラックの固定部に加わる捻れを緩和し、建家の側壁に割れや亀裂を生じることを防止できる配電線引留装置を提供することである。
【課題を解決するための手段】
【０００７】
請求項１の発明に係る配電線引留装置は、断面がＵ字状に形成された低圧用ラックと、前記低圧用ラックのＵ字屈曲部の背面と需要家の建家の側壁との間に介挿される当て板と、前記当て板を介挿した状態で前記低圧用ラックを建家の側壁に取り付ける取付ボルトと、前記低圧用ラックのＵ字突出部間に設けられ配電線から引き出された電線の配線方向の案内部材を掛止する掛止ボルトとを備えたことを特徴とする。
【０００８】
請求項２の発明に係る配電線引留装置は、請求項１の発明において、前記案内部材は、前記配電線から引き出された電線の配線方向を変えて需要家の屋内に引き込むための引き込み用留具を引張する引張部材であることを特徴とする。
【０００９】
請求項３の発明に係る配電線引留装置は、請求項１の発明において、前記案内部材は、前記配電線から引き出された電線を沿わせるワイヤであることを特徴とする。
【発明の効果】
【００１０】
請求項１の発明によれば、低圧用ラックのＵ字屈曲部の背面と需要家の建家の側壁との間に当て板を介挿して低圧用ラックを建家の側壁に取り付けるので、低圧用ラックの固定部に捻れが加わる方向に低圧引込電線を引き留めたとしても、当て板により低圧用ラックの固定部に加わる捻れを緩和することができる。従って、建家の側壁に割れや亀裂を生じることを防止できる。
【００１１】
請求項２の発明によれば、低圧用ラックの掛止ボルトに掛止される案内部材が引き込み用留具を引張する引張部材であり、引張部材が低圧用ラックの固定部に捻れが加わる方向に引張されたとしても、当て板により低圧用ラックの固定部に加わる捻れを緩和することができる。
【００１２】
請求項３の発明によれば、低圧用ラックの掛止ボルトに掛止される案内部材が配電線から引き出された電線を沿わせるワイヤであり、ワイヤが低圧用ラックの固定部に捻れが加わる方向に掛止されたとしても、当て板により低圧用ラックの固定部に加わる捻れを緩和することができる。
【図面の簡単な説明】
【００１３】
【図１】本発明の実施の形態に係る配電線引留装置の一例を示す構成図。
【図２】本発明の実施の形態に係る配電線引留装置の一部要素の分解斜視図。
【図３】本発明の実施の形態に係る配電線引留装置を組み立てた斜視図。
【図４】本発明の実施の形態に係る配電線引留装置の他の一例を示す構成図。
【発明を実施するための形態】
【００１４】
以下、本発明の実施形態を説明する。図１は本発明の実施の形態に係る配電線引留装置の一例を示す構成図である。
【００１５】
配電線から引き出された電線（引き込み線）１１は引き込み用留具１２に係合され、配線方向を変えて需要家の建家屋内に引き込まれる。図１では単相二線の引き込み線１１が引き込まれた場合を示している。
【００１６】
引き込み用留具１２は、案内部材１３により低圧用ラック１４の掛止ボルト１５に掛止される。低圧用ラック１４は断面がＵ字状に形成され、低圧用ラック１４のＵ字屈曲部１６の背面と需要家の建家の側壁１７との間に当て板１８が介挿されて、低圧用ラック１４は建家の側壁１７に取付ボルト１９で取り付けられている。一方、低圧用ラック１４のＵ字突出部２０ａ、２０ｂと間には、掛止ボルト１５が設けられ、この掛止ボルト１５に配電線から引き出された電線の配線方向の案内部材１３を掛止する。
【００１７】
図１では案内部材１３が引き込み用留具１２を引張する引張部材であり、この引張部材は低圧用ラック１４の建家の側壁１７への固定部（取付ボルト１９の固定位置）に対し、斜め方向に掛止されている場合を示している。
【００１８】
当て板１８は、弾力性を有した耐候性樹脂、例えば、耐候性黒色ポリエチレンで形成され緩衝材としての機能を有する。これにより、掛止ボルト１５に掛止された案内部材１３が低圧用ラック１４の固定部に対し、捻れが加わる方向に引張されたとしても、当て板１８の弾力性により低圧用ラック１４の固定部に加わる捻れを緩和する。従って、建家の側壁１７の割れや亀裂を防止できる。
【００１９】
図２は配電線引留装置の一部要素の分解斜視図であり、図２（ａ）は当て板１８の斜視図、図２（ｂ）は低圧用ラック１４の斜視図、図２（ｃ）は取付ボルト１９の斜視図であり、掛止ボルト１５の図示は省略している。また、図３は配電線引留装置を組み立てた斜視図であり、図３では掛止ボルト１５の図示は省略している。
【００２０】
図２（ａ）に示すように、当て板１８は取付ボルト１９が貫通する貫通孔２１を有し、低圧用ラック１４のＵ字屈曲部１６に当接する側が凹んで形成されている。図３に示すように、この当て板１８の凹部内に低圧用ラック１４のＵ字屈曲部１６の背面側を収納する。そして、当て板１８を低圧用ラック１４のＵ字屈曲部１６に取り付けた状態で、建家の側壁１７に取付ボルト１９で低圧用ラック１４を取り付ける。
【００２１】
低圧用ラック１４は、図２（ｂ）に示すようにＵ字状に形成され、Ｕ字屈曲部１６と、Ｕ字屈曲部１６の両端部から突出した一対のＵ字突出部２０ａ、２０ｂとを有する。そして、Ｕ字屈曲部１６には取付ボルト１９が貫通する貫通孔を有し、Ｕ字突出部２０ａ、２０ｂには、掛止ボルト１５を貫通させるための貫通孔２２ａ、２２ｂを有している。図３に示すように、低圧用ラック１４は周辺縁部に折曲部２３が形成されており強度を保持している。
【００２２】
取付ボルト１９は、図２（ｃ）に示すように、一方端にボルト頭１９ａを有し他方端にネジ部１９ｂを有している。そして、取付ボルト１９は、図３に示すように、低圧用ラック１４のＵ字屈曲部１６側から当て板１８を貫通し、建家の側壁１７に取り付けられる。
【００２３】
このように、低圧用ラック１４は、需要家の建家の側壁１７との間に当て板１８を介挿して建家の側壁１７に取り付けられるので、当て板１８により低圧用ラック１４の固定部である取付ボルト１９に加わる捻れを緩和することができる。従って、低圧用ラック１４の取付ボルト１９に捻れが加わる方向に、掛止ボルト１５に低圧引込電線を引き留めたとしても、建家の側壁１７に割れや亀裂を生じることを防止できる。
【００２４】
図４は、本発明の実施の形態に係る配電線引留装置の他の一例を示す構成図である。この一例は、図１に示した一例に対し、引き込み用留具１２に代えて、低圧引留碍子２４を設け、案内部材１３として配電線から引き出された電線１１を沿わせるワイヤを用いたものである。図１と同一要素には同一符号を付し重複する説明は省略する。
【００２５】
図４に示すように、低圧用ラック１４は、低圧用ラック１４のＵ字屈曲部１６に当て板１８を介挿して建家の側壁１７に取付ボルト１９で取り付けられている。そして、低圧用ラック１４のＵ字突出部２０ａ、２０ｂ間に取り付けられた掛止ボルト１５に低圧引留碍子２４が支持されている。低圧引留碍子２４は案内部材１３であるワイヤを引き留めるものであり、ワイヤには配電線から引き出された電線１１が沿わせて取り付けられている。
【００２６】
このように、低圧用ラック１４の掛止ボルト１５に掛止される案内部材１３が配電線から引き出された電線１１を沿わせるワイヤである場合には、低圧引留碍子２４にて案内部材１３であるワイヤを引き留める。この場合、案内部材１３であるワイヤが低圧用ラック１４の固定部である取付ボルト１９に対して、捻れが加わる方向に掛止されたとしても、当て板１８により低圧用ラック１４の取付ボルト１９に加わる捻れを緩和することができる。従って、建家の側壁１７に割れや亀裂を生じることを防止できる。
【符号の説明】
【００２７】
１１…電線、１２…引き込み用留具、１３…案内部材、１４…低圧用ラック、１５…掛止ボルト、１６…Ｕ字屈曲部、１７…側壁、１８…当て板、１９…取付ボルト、２０…Ｕ字突出部、２１…貫通孔、２２…貫通孔、２３…屈曲部、２４…低圧引留碍子
【図１】
2012039733.tif 000003
【図２】
2012039733.tif 000004
【図３】
2012039733.tif 000005
【図４】
2012039733.tif 000006